(57)【要約】【課題】  簡単且つ安価に取り付けることができる、架空地線用のジャンパ線の振れ止め防止金具を提供する。【解決手段】  鉄塔から絶縁された架空地線に生じる誘導電流を取り出すために用いられるジャンパ線の振れ止め金具であって、ジャンパ線（５０）が接続されるジャンパソケット（４０）への取付部（６１０）を備える共に該ジャンパソケットの側面に沿って配置される基部（６１）と、該基部から延びた延長部（６２）とを備えてなり、該延長部には、前記ジャンパソケットに接続されたジャンパ線を該延長部に沿って保持する保持手段（６３）が設けられており、上記取付部は、ジャンパソケットのボルト穴（４１ａ，４１ｂ）に整列するボルト穴（６１１ａ，６１１ｂ）を備え、ボルト（７１ａ，７１ｂ）を挿通させてナット（７２ａ，７１ｂ）で締結する。【選択図】          図１
2006174577.tif 000002
【特許請求の範囲】
【請求項１】
鉄塔から絶縁された架空地線に生じる誘導電流を取り出すために用いられるジャンパ線の振れ止め金具であって、ジャンパ線（５０）が接続されるジャンパソケット（４０）への取付部（６１０）を備える共に該ジャンパソケット（４０）の側面に沿って配置される基部（６１）と、該基部（６１）から延びた延長部（６２）とを備えてなり、該延長部（６２）には、前記ジャンパソケット（４０）に接続されたジャンパ線（５０）を該延長部（６２）に沿って保持する保持手段（６３）が設けられていることを特徴とするジャンパ線の振れ止め金具。
【請求項２】
前記ジャンパソケット（４０）は、架空地線（１０）の端部を保持するクランプ（２０）に設けられたボルト穴に整列するボルト穴（４１ａ，４１ｂ）を備え、前記振れ止め金具の取付部（６１０）は、前記ジャンパソケット（４０）のボルト穴（４１ａ，４１ｂ）に整列するボルト穴（６１１ａ，６１１ｂ）を備え、クランプ（２０）、ジャンパソケット（４０）及び取付部（６１０）のボルト穴を互いに整列させて重ね合わせ、一本のボルト（７１ａ，７１ｂ）を挿通させてナット（７２ａ，７１ｂ）で締結することにより振れ止め金具をジャンパソケットに固定することができるようにされている、請求項１に記載の振れ止め金具。
【請求項３】
前記基部（６１）は鈍角を為して屈曲した棒材からなり、前記延長部（６２）は前記基部（６１）の屈曲方向と逆方向に鈍角を為して前記基部（６１）に連接した棒材からなる請求項１又は２に記載の振れ止め金具。
【発明の詳細な説明】
【技術分野】
【０００１】
本発明は、鉄塔から絶縁された架空地線に生じる誘導電流を取り出すために用いられるジャンパ線の振れ止め金具に関する。
【背景技術】
【０００２】
架空地線は、通常、接地されているため大地と同電位であり、両者の間に電位は生じない。しかし、架空地線を碍子装置を介在させて鉄塔から絶縁すると、大地や送電線との間に生じる静電容量に起因した静電誘導作用、または、隣接する送電線との電磁誘導作用により、架空地線に誘導電流が発生する。
【０００３】
そこで、架空地線を鉄塔から絶縁することにより、この誘導電流を取り出して航空障害灯などの機器の電源として利用することが既に行われている（特公昭５５−２７５３０号公報、特許第３１８１５０８号掲載公報等参照）。この場合、図３に示されるように、架空地線１０は、その端部に概略円筒状のクランプ２０が取り付けられ、このクランプ２０は、鉄塔（図示せず）に支持された懸垂装置９０に碍子装置３０を介して連結され、かくして、架空地線１０は鉄塔から絶縁される。クランプ２０は、碍子装置３０に隣接する端部付近に、クランプ２０の軸線に直交する方向に張り出した板状の取付金具２１を備え、この取付金具２１にジャンパソケット４０が接続される。図示の例では、取付金具２１は一対のボルト穴を備え、ジャンパソケット４０の端部もこれに整列する一対のボルト穴が設けられている。したがって、取付金具２１のボルト穴とジャンパソケット４０のボルト穴とを整列させて重ね合わせ、ボルト７１ａ，７１ｂを挿通させてナット７２ａ，７２ｂで締結することにより、ジャンパソケット４０はクランプ２０に連結される。そして、ジャンパソケット４０にジャンパ線５０を接続することにより、このジャンパ線５０から誘導電流が取り出される。
【０００４】
【特許文献１】特公昭５５−２７５３０号公報
【特許文献２】特許第３１８１５０８号掲載公報
【発明の開示】
【発明が解決しようとする課題】
【０００５】
従来、ジャンパ線は、ジャンパソケットから鉄塔まで支持されずに架設されており、その長さは数メートルに及ぶことも多い。したがって、風や架空地線、鉄塔などの振動によってジャンパ線が振動することによって、ジャンパ線がジャンパソケットとの接続箇所で断線することがあった。
電力線用のジャンパ線については、従来、振れ止め防止金具が市販されているが、架空地線用のジャンパ線については市販品が無く、特に、上述のような誘導電流取り出し用のジャンパ線に適用できるものは従来提案されていない。
【０００６】
そこで、本発明は、簡単且つ安価に取り付けることができる、架空地線用のジャンパ線の振れ止め防止金具を提供することを目的とする。
【課題を解決するための手段】
【０００７】
本発明によれば、鉄塔から絶縁された架空地線に生じる誘導電流を取り出すために用いられるジャンパ線の振れ止め金具であって、ジャンパ線が接続されるジャンパソケットへの取付部を備える共に該ジャンパソケットの側面に沿って配置される基部と、該基部から延びた延長部とを備えてなり、該延長部には、前記ジャンパソケットに接続されたジャンパ線を該延長部に沿って保持する保持手段が設けられていることを特徴とするジャンパ線の振れ止め金具が提供される。
【０００８】
本発明のジャンパ線の振れ止め金具において、前記ジャンパソケットは、架空地線の端部を保持するクランプに設けられたボルト穴に整列するボルト穴を備え、前記振れ止め金具の取付部は、前記ジャンパソケットのボルト穴に整列するボルト穴を備え、クランプ、ジャンパソケット及び取付部のボルト穴を互いに整列させて重ね合わせ、一本のボルトを挿通させてナットで締結することにより振れ止め金具をジャンパソケットに固定することができるようにされていることが好ましい。また、本発明のジャンパ線の振れ止め金具において、前記基部は鈍角を為して屈曲した棒材からなり、前記延長部は前記基部の屈曲方向と逆方向に鈍角を為して前記基部に連接した棒材からなることが好ましい。
【発明の効果】
【０００９】
本発明の振れ止め金具によれば、鉄塔の頂部に架設された架空地線から誘導電流を取り出すために鉄塔の頂部から下方へ向けて延ばされるジャンパ線を、ジャンパソケットとの接続箇所から下方に向けて保持するので、ジャンパ線の全体的な振れを防止できるだけでなく、ジャンパソケットとの接続箇所におけるジャンパ線の疲労の集中を抑制し、接続箇所での断線を有効に防止できる。また、本発明の振れ止め金具は、ジャンパソケットのクランプへの取付部と同じ箇所でジャンパソケットに取り付けられるように構成することもでき、その場合、既存のジャンパソケットに追加的に簡単且つ低コストで現場にて取り付けることができる。
【発明を実施するための最良の形態】
【００１０】
以下、本発明を図示の具体例に基づいて説明するが、本発明は該具体例のみに限定されるものではない。
【００１１】
図１は、本発明のジャンパ線の振れ止め金具の一具体例を取り付け状態で示す概略図であり、振れ止め金具以外の部分は点線で示されている。図示の振れ止め金具は、ジャンパーソケット４０の山形に屈曲した側面（以下「背面」といい、その反対側の谷形に屈曲した側面を以下「前面」という）に沿って配置するように屈曲した概略Ｌ字状の基部６１と、この基部６１に連接した延長部６２とからなる。基部６１は、その末端にジャンパソケット４０への取付部６１０を備えている。この取付部６１０は概略矩形の板片からなり、その長手方向に並んだ２つのボルト穴６１１ａ，６１１ｂを備えている。このボルト穴６１１ａ，６１１ｂは、ジャンパソケット４０をクランプ２０に連結させるためにジャンパソケット４０に設けられた２つの穴と整列するように配置されている。取付部６１０の一端には概略Ｌ字状に屈曲した棒材が溶接等により連結されており、この棒材と取付部６１０とにより基部６１が構成される。この棒材としては、通常、鋼製（好ましくは亜鉛めっきされているもの）のものが用いられるが、これに限定されるものではない。この棒材の屈曲角度θ１は、ジャンパソケット４０の背面の屈曲角度と略同一とされ、これによって、基部６１がジャンパソケット４０の背面に沿って配置するようになる。この屈曲角度θ１は鈍角とされ、通常１００〜１１０度とされる。なお、基部６１はジャンパソケット４０の側面に沿って配置すればよく、ジャンパソケット４０の背面に沿って配置する図示の例以外に、取付部６１０の形状を改変するなどの方法により、ジャンパソケット４０の前面や、その他の側面に沿って配置する構成にすることも可能である。
【００１２】
基部６１を構成する棒材は、取付部６１０が設けられた側と反対側で延長部６２と連接しており、延長部６２は基部６１の棒材と同一の材料で構成することができる。延長部６２は、基部６１の棒材に対して基部６１の屈曲方向と逆方向に角度θ２を為して基部６１に連接している。この屈曲角度θ２は鈍角とされ、通常１００〜１１０度とされる。延長部６２には、適当な間隔を置いて２つの保持手段６３が取り付けられており、この保持手段６３を用いてジャンパ線５０を延長部６２に沿って保持させることができる。保持手段６３としては、例えば、公知の締付コネクタなどを使用することができる。
【００１３】
本発明の振れ止め金具は、例えば、一本の亜鉛めっきされた鋼製の棒材を図示のように２箇所で所定の角度θ１及びθ２で屈曲させ、その一端に取付部６１０を溶接などの方法で連結し、延長部６２に１以上の保持手段６３を取り付けることにより容易に作製できる。
【００１４】
本発明の振れ止め金具は、例えば、図３で示されるような既設のジャンパソケット４０に、簡単に取り付けることができる。すなわち、図３のナット７２ａ，７２ｂを外して、ボルト７１ａ，７１ｂを抜いた後、図１に示されるように、振れ止め金具の基部６１０をジャンパソケット４０の背面に沿って配置させるとともに、取付部６１０の一対のボルト穴６１１ａ，６１１ｂを、クランプの取付金具２１の一対のボルト穴と整列して配置されたジャンパソケット４０の一対のボルト穴と整列させて重ね合わせ、これらの重ね合わされたボルト穴にボルト７１ａ，７１ｂを挿通させ、ナット７２ａ，７２ｂで締結することにより、ジャンパソケット４０に取り付けることができる。この場合、取り外した既設のボルト７１ａ，７１ｂの軸部の長さが短すぎる場合は、軸部の長いボルト７１ａ，７１ｂに交換すればよい。そして、ジャンパソケット４０に接続されたジャンパ線５０を延長部６２に設けられた保持手段６３で保持することにより、ジャンパ線５０を振れ止め金具に沿って配置させることができる。したがって、ジャンパ線５０が風や振動を受けた場合でも、ジャンパ線５０が大きく振れることが防止され、特に、ジャンパ線５０のジャンパソケット４０への接続箇所に過度の疲労が蓄積しないので、当該箇所における断線を有効に防止することができる。
【産業上の利用可能性】
【００１５】
本発明は、鉄塔から絶縁された架空地線に生じる誘導電流を取り出すために用いられるジャンパ線の振れ止めに有効であり、例えば、航空障害灯などのような誘導電流の利用が必要とされる機器を備えた鉄塔において用いるのに有用である。
【図面の簡単な説明】
【００１６】
【図１】本発明の振れ止め金具の一具体例を示す正面図である。
【図２】（ａ）は図１の振れ止め金具の一部を示す正面図であり、（ｂ）は（ａ）の側面図である。
【図３】従来のジャンパ線の取り付け状態を示す正面図である。
【符号の説明】
【００１７】
１０…架空地線、２０…クランプ、２１…取付金具、３０…碍子装置、４０…ジャンパソケット、４１ａ，４１ｂ…ボルト穴、５０…ジャンパ線、６１…基部、６２…延長部、６３…保持手段、６１０…取付部、６１１ａ，６１１ｂ…ボルト穴、７１ａ，７１ｂ…ボルト、７２ａ，７２ｂ…ナット。
【図１】
2006174577.tif 000003
【図２】
2006174577.tif 000004
【図３】
2006174577.tif 000005